(57)【要約】【課題】庫内の低温の熱が側板体の内板を介して庫外に熱伝導することを抑制できるオープンショーケースを提供する。【解決手段】金属製の内面材２１ａおよび外面材２１ｂと、内面材２１ａおよび外面材２１ｂによって囲まれた空間内に充填される断熱材２１ｄと、から構成されるケース本体２１と、金属製の内板４０および外板４１と、内板４０と外板４１とによって囲まれた空間内に充填される断熱材４７と、から構成され、ケース本体２１の側部に装着される側板体３，３’と、を備えるオープンショーケース１であって、内板４０には、内面材２１ａから外面材２１ｂにかけて対向する位置に熱伝導率を低下させる低熱伝導領域６が配設されている。【選択図】図６
2019013490.tif 000002
【特許請求の範囲】
【請求項１】
金属製の内面材および外面材と、該内面材および該外面材によって囲まれた空間内に充填される断熱材と、から構成されるケース本体と、
金属製の内板および外板と、該内板と該外板とによって囲まれた空間内に充填される断熱材と、から構成され、前記ケース本体の側部に装着される側板体と、を備えるオープンショーケースであって、
前記内板には、前記内面材から前記外面材にかけて対向する位置に熱伝導率を低下させる低熱伝導領域が配設されていることを特徴とするオープンショーケース。
【請求項２】
前記低熱伝導領域は、前記内板において、上端部と、下端部と、後端部と、にそれぞれ配設されていることを特徴とする請求項１に記載のオープンショーケース。
【請求項３】
前記低熱伝導領域は、前記内板に配設される孔であることを特徴とする請求項１または２に記載のオープンショーケース。
【請求項４】
前記孔は、略直線状に所定間隔を置いて複数配設されていることを特徴とする請求項３に記載のオープンショーケース。
【請求項５】
前記複数の孔は、長孔状に形成されており、その長手方向が前記複数の孔の配設方向における長手方向に沿って千鳥状に配設されていることを特徴とする請求項４に記載のオープンショーケース。
【発明の詳細な説明】
【技術分野】
【０００１】
本発明は、冷凍・冷蔵仕様のオープンショーケースに関する。
【背景技術】
【０００２】
冷凍・冷蔵仕様のオープンショーケースは、スーパーマーケット、コンビニエンスストア、デパート等の食品売場等に設置され、日配食品や生鮮食料品等の冷却が必要な商品を陳列するために用いられている。
【０００３】
特許文献１に開示されているオープンショーケースは、断面視コ字状に形成された断熱壁（ケース本体）と、該断熱壁の両側部に取付けられる一対の側板体と、から主に構成されている。断熱壁は、鋼材の薄板により形成された外面材および内面材と、該外面材および該内面材によって囲まれた空間内に充填される断熱材と、を備え、側板体は、鋼材の薄板により形成された内板および外板と、ステンレス鋼材の薄板が断面視コ字状に屈曲形成され内板と外板との周縁部を塞ぐように配置されたトリムと、内板と外板とトリムとにより形成される空間内に充填された断熱材と、を備えている。断熱壁は、商品を陳列可能な保冷室を備えており、側板体の内板が断熱壁の側端部を閉塞した状態で取付けられることで庫内を循環する冷気が、庫外に流出することを防いでいる。
【０００４】
断熱壁は、保冷室を保冷するための冷気により内面材が冷却されても、該内面材と外面材との間に充填された断熱材により、冷却された内面材から外面材に低温の熱が熱伝導することが防がれているため、外面材から低温の熱が放出されることを防いでいる。同様に、庫外の相対的に暖かい空気に晒される外面材から、暖かい熱が内面材に伝達されることが防がれているため、庫内の温度上昇を防いでいる。
【先行技術文献】
【特許文献】
【０００５】
【特許文献１】特許第２８４０５０６号公報（第２，３頁、第１図）
【発明の概要】
【発明が解決しようとする課題】
【０００６】
しかしながら、特許文献１にあっては、側板体の内板は庫内の冷気により冷却される一方、庫外の相対的に暖かい空気に晒される断熱壁の外面材には、側板体の内板が接触することから、内板から熱伝導した低温の熱は、内板に接触する外面材に熱伝導し、外面材に結露が発生する虞があった。
【０００７】
本発明は、このような問題点に着目してなされたもので、庫内の低温の熱が側板体の内板を介して庫外に熱伝導することを抑制できるオープンショーケースを提供することを目的とする。
【課題を解決するための手段】
【０００８】
前記課題を解決するために、本発明のオープンショーケースは、
金属製の内面材および外面材と、該内面材および該外面材によって囲まれた空間内に充填される断熱材と、から構成されるケース本体と、
金属製の内板および外板と、該内板と該外板とによって囲まれた空間内に充填される断熱材と、から構成され、前記ケース本体の側部に装着される側板体と、を備えるオープンショーケースであって、
前記内板には、前記内面材から前記外面材にかけて対向する位置に熱伝導率を低下させる低熱伝導領域が配設されていることを特徴としている。
この特徴によれば、側板体の内板にケース本体の内面材から外面材にかけて対向する位置において低熱伝導領域が配設されているため、低熱伝導領域を境界とした外方への熱伝導が抑止されることから、低温の熱が側板体の内板を介して庫外に熱伝導することを抑制できる。
【０００９】
前記低熱伝導領域は、前記内板において、上端部と、下端部と、後端部と、にそれぞれ配設されていることを特徴としている。
この特徴によれば、内板を冷却した冷気が、オープンショーケースの外方に位置する上端部側と、下端部側と、後端部側と、に伝達されることを抑制できる。
【００１０】
前記低熱伝導領域は、前記内板に配設される孔であることを特徴としている。
この特徴によれば、一部品で形成された内板に孔を配設することで熱伝導を抑制できることから、部品点数が抑えられるため、施工性が良い。
【００１１】
前記孔は、略直線状に所定間隔を置いて複数配設されていることを特徴としている。
この特徴によれば、内板に複数の孔を設けることで、内板の庫内側と庫外側とに低温の熱が伝達され難くすることができるとともに、内板の強度を保ち易い。
【００１２】
前記複数の孔は、長孔状に形成されており、その長手方向が前記複数の孔の配設方向における長手方向に沿って千鳥状に配設されていることを特徴としている。
この特徴によれば、長孔状に形成された複数の孔が互い違いに並列しているため、低温の熱が略直線状に熱伝導することが抑止されており、冷気の伝達速度を好適に防ぐことができる。
【図面の簡単な説明】
【００１３】
【図１】実施例におけるオープンショーケースを示す斜視図である。
【図２】オープンショーケースの構造を示す側面視の断面図である。
【図３】側板体を組付ける前のオープンショーケースの構造を示す側面図である。
【図４】オープンショーケースの構造を示す上面図である。
【図５】側板体の分解斜視図である。
【図６】外箱と内板に配設された低熱伝導領域との位置関係を示す側面図である。
【図７】側板体の内板における低温の熱の熱伝導を示す模式図である。
【図８】図３における吹き出し内の部分を上面から見た断面図である。
【発明を実施するための形態】
【００１４】
本発明に係る冷凍・冷蔵ショーケースを実施するための形態を実施例に基づいて以下に説明する。
【実施例】
【００１５】
実施例に係る冷凍・冷蔵ショーケースにつき、図１から図８を参照して説明する。以下、図１の紙面左下側を冷凍・冷蔵ショーケースの正面側（前方側）とし、その前方側から見たときの上下左右方向を基準として説明する。
【００１６】
本実施例の冷凍・冷蔵ショーケース１は、スーパーマーケット、コンビニエンスストア等において日配食品や生鮮食料品等の商品を保冷した状態で陳列するために設置される。図１に示されるように、冷凍・冷蔵ショーケース１は、上方に設けられ商品（図示略）が冷却・収納される保冷室２０を備える本体２と、該本体２の両側部に装着される側板体３，３’と、から主に構成されている。側板体３には、風防ガラス５０が装着されており、風防ガラス５０を介して庫外から庫内を視認可能に構成されている。尚、側板体３’側の説明については、側板体３側を略左右反転に形成した略同一構成のものであるため省略する。
【００１７】
また、本実施例における冷凍・冷蔵ショーケース１は、圧縮機および凝縮器を備える冷凍機ユニットが冷凍・冷蔵ショーケース１の外部に配設されている冷凍機別置型であるため、商品を陳列可能な空間を広く形成することができる。
【００１８】
図２，図３に示されるように、本体２は、前面（図の左方）が開放された側面視略コ字形をなす外箱２１（ケース本体）と、その内方の、同じく前面が開放された側面視略コ字形の内箱２２と、外箱２１および内箱２２の側部が組付けられるフレーム２６ａ，２６ｂ，２６ｃと、からなり、内箱２２の内方の空間が保冷室２０となっており、外箱２１と内箱２２とフレーム２６ａ，２６ｂ，２６ｃにより区画された空間は冷気循環経路２３となっている。尚、図３においては、フレーム２６ａ，２６ｂ，２６ｃに取付けられる側板体３を二点鎖線により図示している。さらに尚、本実施例においては、冷気が循環する保冷室２０および冷気循環経路２３を合わせて庫内Ａと呼称することもある。さらに尚、冷凍・冷蔵ショーケース１外の空間を庫外Ｂと呼称することもある。
【００１９】
図２〜図４に示されるように、外箱２１は、ステンレス鋼材の薄板を折り曲げ成形することで側面視略コ字状に形成された内面材２１ａおよび外面材２１ｂと、低熱伝導性である樹脂で形成され内面材２１ａおよび外面材２１ｂの両側部に組付けられる端面部材２１ｃと、内面材２１ａおよび外面材２１ｂの両側部に端面部材２１ｃを組付けることで形成される空間内に充填される断熱材２１ｄと、により構成されている。また、外箱２１は、内面材２１ａと外面材２１ｂとの間に、端面部材２１ｃと断熱材２１ｄとが配設されていることから、内面材２１ａと外面材２１ｂとの間で直接的な熱伝導が抑制される断熱構造を備えている。
【００２０】
また、外箱２１には、図３に示されるように、フレーム２６ａ，２６ｂ，２６ｃが組付けられており、側面視において各フレーム２６ａ，２６ｂ，２６ｃの庫外Ｂ側に位置する周縁部が、外箱２１の外面材２１ｂよりも庫内Ａ側に配設されている。
【００２１】
内箱２２の背面部２２ａには、前後に延びるブラケット２０ｂ，２０ｂ，…の後端が取付けられており、ブラケット２０ｂ，２０ｂ，…の上に棚板２０ａ，２０ａ，…が配設されている。この各棚板２０ａ，２０ａ，…と内箱２２の底部２２ｂとの上面に、商品（図示略）が陳列されるようになっている。
【００２２】
図２に示されるように、外箱２１および内箱２２と、これらの側部に取付けられるフレーム２６ａ，２６ｂ，２６ｃとの間には、冷気循環経路２３が形成され、この冷気循環経路２３の鉛直部と水平底部には、それぞれ蒸発器２４ａと送風機２４ｂが設置されている。
【００２３】
蒸発器２４ａは、その周囲の空気を冷却することができるようになっており、蒸発器２４ａの前面側には、断熱材２４ｃが設けられ、蒸発器２４ａと内箱２２を介した保冷室２０側との熱交換が抑えられている。
【００２４】
本体２の上部の前端には、冷気循環経路２３と連通する冷気吹出口２３ａが下向きに形成され、また本体２の下部前端の上端には、上方に開口する冷気の吸込口２３ｂが形成されている。送風機２４ｂを作動させると、蒸発器２４ａにより冷却された冷気は、矢印のように、冷気循環経路２３内を上方に向かって流れ、冷気吹出口２３ａより、下方の吸込口２３ｂに向かって吹き出される。これにより、本体２の前面の開放面に冷気のエアカーテン２５が形成されるとともに、その冷気の一部が保冷室２０内に流入することにより、陳列商品が保冷されるようになる。
【００２５】
冷気循環経路２３には、外箱２１の内面材２１ａが面しており、冷気循環経路２３内を流れる冷気により内面材２１ａが冷却される。外箱２１は、内面材２１ａと外面材２１ｂとの間に、端面部材２１ｃと断熱材２１ｄによる断熱構造を備えていることから、冷却された内面材２１ａから低温の熱Ｃが外面材２１ｂに直接的に熱伝導することが抑制されている。同様に、外箱２１の外面材２１ｂは、庫内Ａを循環する冷気よりも相対的に暖かい庫外Ｂの空気に晒されているため、冷却された内面材２１ａよりも相対的に暖かくなっているが、上述した断熱構造により、暖かい外面材２１ｂから暖かい熱が内面材２１ａに直接的に熱伝導することが抑制されているため、庫内Ａの保冷効率が高められている。
【００２６】
図１，図５に示されるように、側板体３は、前面（図の左方）が切欠かれた側面視略コ字状をなす内板４０と、同じく前面が切欠かれた側面視略コ字状をなし内板４０と対向する外板４１と、内板４０および外板４１の周縁部に沿って配設されるスペーサ４２と、スペーサ４２を介在させた内板４０および外板４１の周縁部における前方部分に組付けられる複数のトリム４３，４４，４５，４６と、内板４０と外板４１との周端部の間にスペーサ４２が配設されることで形成された空間内に充填される断熱材４７と、風防ガラス５０と、から構成されている。尚、図５においては、説明の便宜上、組立後の側板体３を分解して示した分解斜視図であり、このとこから、断熱材４７は、充填後かつ硬化した状態にある断熱材４７が図示されている。さらに尚、図示の都合上、風防ガラス５０の図示を省略している。
【００２７】
内板４０および外板４１は、ステンレス鋼材の薄板により形成されており、側板体３を本体２に取付けた際、内板４０は保冷室２０に面して配置され、外板４１は庫外側に配置される。
【００２８】
スペーサ４２は、硬質の低熱伝導性材で形成されており、断熱材４７は、低熱伝導性であるウレタンフォームにより形成されている。これにより、側板体３は、図５に示されるように、内板４０と外板４１との間にスペーサ４２と断熱材４７とが配設されていることから、内板４０と外板４１との間で直接的な熱伝導が抑制される断熱構造を備えている。
【００２９】
トリム４３，４４，４５，４６は、それぞれステンレス鋼材を押出し形成することで断面視略コ字状に形成されており、スペーサ４２を介在させた内板４０および外板４１の周縁部における前方上部から前方下部にかけて、第１トリム４３、第２トリム４４、第３トリム４５、第４トリム４６の順に組付けられている。これらトリム４３，４４，４５，４６がスペーサ４２を介在させた内板４０および外板４１の周縁部における前方部分に組付けられることにより、この周縁部を外部の衝撃から保護することができる。
【００３０】
また、内板４０には、図５，図６に示されるように、所定間隔を置いて複数の長孔６（低熱伝導領域）が形成されており、詳しい位置関係については後述するが側板体３を本体２に組付けた際に、外箱２１の端面部材２１ｃに沿うように側面視略コ字状に配設されている。尚、図６においては、図示の都合上、外箱２１および内板４０に形成されている複数の長孔６を点線により図示している。
【００３１】
次に、本体２に側板体３を組付けた際の態様について、図３，図４を用いて詳しく説明する。本体２に側板体３を組付ける際には、図示しないボルトナットを介して側板体３が本体２のフレーム２６ａ，２６ｂ，２６ｃに組付けられる。このとき、図３に示されるように、側板体３の後端部が外箱２１の外面材２１ｂの垂直面と略同一面を成すように配設され、側板体３の上端部と前端部は本体２の上端と前端から突出し、側板体３の下端部は本体２の下端部より上方に位置している。
【００３２】
また、図４に示されるように、外箱２１と側板体３との間には、フレーム２６ａが介在しており、上述したようにフレーム２６ａが外箱２１の外面材２１ｂよりも庫内Ａ側に組付けられていることから、外箱２１の外面材２１ｂと側板体３の内板４０との間には、わずかに空間があり、該空間を挟んで外面材２１ｂと内板４０とが隣接している。
【００３３】
尚、直接の図示を省略したが、フレーム２６ｂ，２６ｃについてもフレーム２６ａと同様に、外箱２１の外面材２１ｂよりも庫内Ａ側に組付けられていることから、フレーム２６ｂ，２６ｃ側においても外箱２１の外面材２１ｂと側板体３の内板４０との間にはわずかに空間がある。
【００３４】
次に、側板体３が本体２に組付けられた状態において、内板４０に配設された複数の長孔６と、外箱２１との位置関係について詳しく説明する。図６に示されるように、複数の長孔６は、側板体３を本体２に組付けた際に、外箱２１の内面材２１ａと外面材２１ｂにかけて対向する位置に配設されており、外箱２１の後方から前方に延出する上部と、外箱２１の上部の後端部から略垂直下方に延出する後部と、外箱２１の後部の下端部から前方に延出する下部と、における端面部材２１ｃに沿うように内板４０に形成されている。すなわち、内板４０の上端部と後端部と下端部とにおいてそれぞれ略直線状に複数の長孔６が形成されることで、複数の長孔６が側面視略コ字状に配設されている。
【００３５】
尚、一つの長孔６が一つの低熱伝導領域であるため、説明の便宜上、内板４０の上端部において略直線状に配設されている複数の長孔６を上部低熱伝導帯６ａ、内板４０の後端部において略直線状に配設されている複数の長孔６を後部低熱伝導帯６ｂ、内板４０の下端部において略直線状に配設されている複数の長孔６を下部低熱伝導帯６ｃとしてそれぞれ呼称する。
【００３６】
また、複数の長孔６と内面材２１ａと外面材２１ｂとの位置関係について詳しく説明すると、複数の長孔６は、内面材２１ａと外面材２１ｂの左右方向における延長線上から離間した内面材２１ａと外面材２１ｂの内側に配設されている。
【００３７】
これまで、本体２および側板体３の構成について説明してきたが、次に、本体２に側板体３を組付けられた庫内Ａで冷気が循環される際の態様について説明する。庫内Ａを循環する冷気は、側板体３が本体２の側部に組付けられることによって、保冷室２０の側方から外方に流出することが防がれている。
【００３８】
このとき、側板体３の内板４０は、フレーム２６ａ，２６ｂ，２６ｃに当接する部分と、保冷室２０に面する部分と、庫外Ｂに露出する部分と、があり、内板４０のフレーム２６ａ，２６ｂ，２６ｃに当接する部分は、フレーム２６ａ，２６ｂ，２６ｃが冷却されると、フレーム２６ａ，２６ｂ，２６ｃから低温の熱Ｃが熱伝導することで冷却され、同様に、内板４０の保冷室２０に面する部分は、保冷室２０を保冷する冷気によって冷却される。言い換えれば、内板４０の庫内Ａ側は、庫内Ａの冷気によって冷却され易い。尚、内板４０の庫内Ａ側と同様に、内板４０の庫外Ｂに露出する部分を内板４０の庫外Ｂ側と呼称する。
【００３９】
側板体３は、内板４０の庫内Ａ側が冷却されても、内板４０と外板４１との間に、スペーサ４２と断熱材４７による断熱構造を備えていることから、冷却された内板４０から低温の熱Ｃが外板４１に直接的に熱伝導することが抑制されている。
【００４０】
一方、側板体３の内板４０の庫外Ｂ側（内板４０の外縁部）は、図８に示すように、外箱２１の端面部材２１ｃと対向する内板４０の側面のうち庫外Ｂ側に露出している側端面４０ａと、側板体３の後端側に露出している内板４０の後端面４０ｂと、を備えており、これら側端面４０ａと後端面４０ｂが庫外Ｂ側に露出していることから、内板４０の庫外Ｂ側は、庫内Ａを循環する冷気よりも相対的に暖かい庫外Ｂ側の空気に晒されている。
【００４１】
本実施例においては、内板４０に配設される各低熱伝導帯６ａ，６ｂ，６ｃが、内板４０の庫内Ａ側と庫外Ｂ側との略境界に位置しており、低温の熱Ｃが内板４０の庫内Ａ側から庫外Ｂ側に熱伝導することが抑制されている。そのため、内板４０の庫外Ｂ側及び外面材２１ｂの結露の発生を防ぐことができる。以降、複数の長孔６によって低温の熱Ｃの熱伝導が抑制される態様について詳しく説明する。
【００４２】
図７に示されるように、複数の矩形状の長孔６は、内板４０がパンチング加工されることによって形成されており、長孔６の長手方向が各低熱伝導帯６ａ，６ｂ，６ｃの配設方向における長手方向に沿って千鳥状に配設されている。これら複数の長孔６が離間配置されていることから、低温の熱Ｃが複数の長孔６の間に位置する部分を通って庫内Ａ側から庫外Ｂ側に移動する。言い換えれば、内板４０は、複数の長孔６によって内板４０の庫内Ａ側から庫外Ｂ側に連続する部分が減少していることから、熱伝導する断面積が減少している。尚、図７に図示される白抜き矢印は、低温の熱Ｃの移動方向、移動量を模式的に表している。
【００４３】
また、長孔６は、孔であることから、熱は長孔６を迂回して伝導され、長孔６の空間内を略直線状に伝わる熱を抑制している。すなわち、長孔６一つが一つの低熱伝導領域である。
【００４４】
これらのことから、図７において白抜き矢印で図示したように、複数の長孔６により、低温の熱Ｃの熱伝導が抑制されるため、内板４０の庫外Ｂ側、具体的には図８に示す内板４０の側端面４０ａの内、長孔６よりも後側の部分や後端面４０ｂが冷却されることを抑制できる。これにより、図８に示す、内板４０の側端面４０ａの内、長孔６よりも後側の部分や後端面４０ｂに結露が発生することを抑制することができる。
【００４５】
複数の長孔６は、千鳥状に設けられていることから、低温の熱Ｃが略直線状に内板４０の庫内Ａ側から庫外Ｂ側に熱伝導することを好適に抑制することができる。また、複数の長孔６は、千鳥状に設けられているため、複数の長孔６が形成されることによる内板４０の強度の損失が低減されることから、内板４０の強度を保ち易い。
【００４６】
上述したように、複数の長孔６は、側板体３の内板４０に外箱２１の内面材２１ａと外面材２１ｂにかけて対向する位置に配設されていることにより、冷気によって内板４０の庫内Ａ側が冷却されても、複数の長孔６を境界とした内板４０の庫外Ｂ側への熱伝導が抑止されることから、低温の熱Ｃが側板体３の内板４０を介して庫外Ｂ側に熱伝導することを抑制できる。
【００４７】
上述したように、複数の長孔６は、外箱２１と対向する内板４０の上端部と下端部と後端部とにおいて形成されていることから、内板４０の庫内Ａ側を冷却した冷気が、庫外Ｂ側に位置する外箱２１の外面材２１ｂ全体（言い換えれば、外箱２１の上端部側、下端部側及び後端部側）に伝達されることを抑制できる。
【００４８】
上述したように、複数の長孔６は、内面材２１ａと外面材２１ｂの延長線上から離間した内面材２１ａと外面材２１ｂの内側に配設されていることから、冷気循環経路２３によって冷却される内面材２１ａやフレーム２６ａ，２６ｂ，２６ｃから内板４０の庫外Ｂ側に冷気が回り込み、内板４０の庫外Ｂ側が冷却されることを防ぐことができる。
【００４９】
また、複数の長孔６は、内板４０の庫内Ａ側から庫外Ｂ側に低温の熱Ｃが熱伝導することを抑制しているだけでなく、内板４０の庫外Ｂ側から庫内Ａ側に、庫内Ａを循環する冷気よりも相対的に暖かい熱が熱伝導することを抑制しており、庫内Ａの保冷効率を高めている。
【００５０】
また、複数の長孔６は、一部品で形成された内板４０に配設されることで、内板４０だけで内板４０の庫内Ａ側と庫外Ｂ側間の熱伝導を抑制できることから部品点数が抑えられるため、施工性が良い。
【００５１】
また、複数の長孔６は、外箱２１の内面材２１ａと外面材２１ｂにかけて対向する位置に配設されていることから、側板体３を本体２に組付けた際に、外箱２１の端面部材２１ｃやフレーム２６ａ，２６ｂ，２６ｃとの間に位置するため、外観上視認され難いことから美観性がよい。
【００５２】
以上、本発明の実施例を図面により説明してきたが、具体的な構成はこれら実施例に限られるものではなく、本発明の要旨を逸脱しない範囲における変更や追加があっても本発明に含まれる。
【００５３】
例えば、前記実施例では、低熱伝導領域である長孔６が千鳥状に複数配設されている態様として説明したが、これに限らず、低熱伝導領域は、外箱２１に沿って側面視略コ字状に連続して形成された長孔であってもよく、外箱２１の上部・後部・下部に沿って形成された３つの長孔であってもよく、外箱２１よりも外方に延設されていてもよく、その形状を限定するものではない。
【００５４】
また、低熱伝導領域は、上部低熱伝導帯６ａ、後部低熱伝導帯６ｂおよび下部低熱伝導帯６ｃにより側面視コ字状に配設されている態様として説明したが、これに限らず、後部低熱伝導帯６ｂだけ備える態様であってもよく、端面部材２１ｃの全長に亘るように形成されていなくともよい。すなわち、低熱伝導領域が必要な部分に形成されていればよい。
【００５５】
低熱伝導領域は、長孔６であるとして説明したが、これに限らず、低熱伝導性の樹脂や木材等により内板４０の庫内Ａ側と庫外Ｂ側間の熱伝導が抑制されていてもよく、同様に、内板４０の外縁が低熱伝導性の部材で形成されていてもよく、庫内Ａ側と庫外Ｂ側間の熱伝導が抑制されるものであればよい。
【００５６】
外箱２１の外面材２１ｂと側板体３の内板４０との間には、わずかに空間がある態様として説明した（図４、図８を参照。）が、これに限らず、外面材２１ｂと内板４０が当接していてもよい。この態様であっても、内板４０の庫外Ｂ側が低熱伝導領域により内板４０の庫内Ａ側から低温の熱Ｃが熱伝導することが抑制されているため、外面材２１ｂの冷却を抑制することができる。また、この空間は、ウレタン樹脂やシリコン樹脂等の低熱伝導性の樹脂材等で埋設されていてもよい。
【００５７】
冷凍・冷蔵ショーケース１は、冷凍機別置型であるとして説明したが、これに限らず、冷気循環経路２３の下方に位置する基部内に冷凍機ユニットが設置される冷凍機内蔵型のショーケースであってもよい。この態様のであれば、冷凍機ユニットから熱交換により発生する暖気が内板４０の庫外Ｂ側を加温する場合があるが、内板４０に低熱伝導領域が設けられているため、庫内Ａの保冷効率への影響を抑制することができる。
【符号の説明】
【００５８】
１                冷蔵ショーケース
２                本体
３，３’        側板体
６              長孔（低熱伝導領域）
２１            外箱（ケース本体）
２１ａ          内面材
２１ｂ          外面材
２１ｄ          断熱材
４０            内板
４１            外板
４３            第１トリム
４４            第２トリム
４５            第３トリム
４６            第４トリム
４７            断熱材
Ａ              庫内
Ｂ              庫外
Ｃ              低温の熱
【図１】
2019013490.tif 000003
【図２】
2019013490.tif 000004
【図３】
2019013490.tif 000005
【図４】
2019013490.tif 000006
【図５】
2019013490.tif 000007
【図６】
2019013490.tif 000008
【図７】
2019013490.tif 000009
【図８】
2019013490.tif 000010